(57)【特許請求の範囲】
【請求項１】
筒状の膨張部を備え、圧縮機に取り付けられる消音器において、
面内方向の半径方向の一次の共鳴が生じたときの音圧分布の節の位置から前記膨張部の半径に対して半径方向に±５％の範囲内で、かつ、軸方向の一次の共鳴が生じたときの音圧分布の節の位置から前記膨張部の高さに対して高さ方向に±３％の範囲内に、同形状のくぼみを円周方向に等間隔で前記膨張部の外周面に４つ設け、
前記膨張部に対して、
流体の入口を前記圧縮機の圧縮機要素側の端面の中央に位置させ、
流体の出口を前記くぼみのうちいずれか１つ以上としている
消音器。
【請求項２】
前記くぼみには、テーパが付されている
請求項１記載の消音器。
【請求項３】
筒状の膨張部を備え、圧縮機に取り付けられる消音器において、
面内方向の半径方向の一次の共鳴が生じたときの音圧分布の節の位置から前記膨張部の半径に対して半径方向に±５％の範囲内で、かつ、軸方向の一次の共鳴が生じたときの音圧分布の節の位置から前記膨張部の高さに対して高さ方向に±３％の範囲内に、円環状のくぼみを前記膨張部の円周方向に一様に設け、
前記膨張部に対して、
流体の入口を前記圧縮機の圧縮機要素側の端面の中央に位置させ、
流体の出口を前記くぼみの高さ方向の中央位置に１つ以上設けている
消音器。
【請求項４】
請求項１〜３のいずれか一項に記載の消音器を、
圧縮機要素を構成している固定スクロールの吐出穴が前記消音器の中央位置にくるように前記固定スクロールに固定した
圧縮機。
【発明の詳細な説明】
【技術分野】
【０００１】
本発明は、圧縮機に取り付けられる消音器及びこの消音器を備えた圧縮機に関するものである。
【背景技術】
【０００２】
従来の圧縮機に取り付けられる消音器では、固有の周波数で生じる共鳴による消音器の減音量低下を防ぐために、円形音場の円周方向の一次の共鳴が生じたときの消音器内部の音圧分布における腹の位置を入口位置とし、節の位置を出口位置としている（例えば、特許文献１参照）。
【先行技術文献】
【特許文献】
【０００３】
【特許文献１】実公昭６１−３２１５７号公報
【発明の概要】
【発明が解決しようとする課題】
【０００４】
特許文献１に記載されているような消音器にあっては、円形音場の円周方向の一次の共鳴による消音器の減音量の低下を防ぐことができる。しかしながら、円周方向の二次の共鳴が生じたときには出口位置と入口位置がともに消音器内部の音圧分布における腹の位置となり、消音器の減音量の低下を防げないという問題点があった。また、円形音場の外周部が出口位置となっているため、円形音場の半径方向の共鳴が生じたときには、出口位置が音圧分布における腹の位置となり、消音器の減音量低下を防げないという問題点もあった。
【０００５】
本発明は、上記のような問題点を解決するためになされたものであり、円形音場における円周方向のさらに高次の共鳴、半径方向の一次の共鳴による減音量の低下を防ぐことができる消音器及びこの消音器を備えた圧縮機を提供することを目的としている。
【課題を解決するための手段】
【０００６】
本発明に係る消音器は、筒状の膨張部を備え、圧縮機に取り付けられる消音器において、面内方向の半径方向の一次の共鳴が生じたときの音圧分布の節の位置から前記膨張部の半径に対して半径方向に±５％の範囲内で、かつ、軸方向の一次の共鳴が生じたときの音圧分布の節の位置から前記膨張部の高さに対して高さ方向に±３％の範囲内に、同形状のくぼみを円周方向に等間隔で前記膨張部の外周面に４つ設け、前記膨張部に対して、流体の入口を前記圧縮機の圧縮機要素側の端面の中央に位置させ、流体の出口を前記くぼみのうちいずれか１つ以上としている。
また、本発明に係る消音器は、筒状の膨張部を備え、圧縮機に取り付けられる消音器において、面内方向の半径方向の一次の共鳴が生じたときの音圧分布の節の位置から前記膨張部の半径に対して半径方向に±５％の範囲内で、かつ、軸方向の一次の共鳴が生じたときの音圧分布の節の位置から前記膨張部の高さに対して高さ方向に±３％の範囲内に、円環状のくぼみを前記膨張部の円周方向に一様に設け、前記膨張部に対して、流体の入口を前記圧縮機の圧縮機要素側の端面の中央に位置させ、流体の出口を前記くぼみの高さ方向の中央位置に１つ以上設けている。
【発明の効果】
【００１３】
本発明に係る消音器によれば、流体の入口位置と流体の出口位置を特定したことにより、従来の消音器では減音量が低下していた周波数においても減音量が低下しないといった従来にない顕著な効果を奏する。
【００１４】
本発明に係る圧縮機によれば、上記の消音器が搭載されているので、従来の消音器では減音量が低下していた周波数においても減音量が低下せず、騒音の低減化を図れる。
【図面の簡単な説明】
【００１５】
【図１】本発明の実施の形態１に係る消音器を備えたスクロール圧縮機の仕組みを示す概略構成図である。
【図２】本発明の実施の形態１に係る消音器の形状例を示す斜視図である。
【図３】本発明の実施の形態１に係る消音器の平面図、断面図である。
【図４】最も基本となる形状の消音器の形状例を示す斜視図である。
【図５】最も基本となる形状の消音器の平面図、断面図である。
【図６】最も基本となる形状の消音器が取り付けられたスクロール圧縮機の消音器の部分を拡大して示す概略図である。
【図７】最も基本となる形状の消音器の内部空間のモデル例を示す見取り図である。
【図８】最も基本となる形状の消音器の内部空間のモデル例を示す平面図、側面図である。
【図９】基本形状についての周波数に対する減音量の特性を示したグラフである。
【図１０】共鳴が生じたときの基本形状の消音器の内部空間の音圧分布の平面図と立面断面図である。
【図１１】共鳴が生じたときの基本形状の消音器の内部空間の音圧分布の平面図と立面断面図である。
【図１２】共鳴が生じたときの基本形状の消音器の内部空間の音圧分布の平面図と立面断面図である。
【図１３】共鳴が生じたときの基本形状の消音器の内部空間の音圧分布の平面図と立面断面図である。
【図１４】共鳴が生じたときの基本形状の消音器の内部空間の音圧分布の平面図と立面断面図である。
【図１５】共鳴が生じたときの基本形状の消音器の内部空間の音圧分布の平面図と立面断面図である。
【図１６】共鳴が生じたときの基本形状の消音器の内部空間の音圧分布の平面図と立面断面図である。
【図１７】低い次数における係数βｎｍ／πの対応表を示したものである。
【図１８】ΔＮＲとｘ／ａとの関係を示したグラフである。
【図１９】節の位置に出口側観測点を設定した周波数に対する減音量の特性を示したグラフである。
【図２０】ΔＮＲとｚ／Ｌ’の関係を示したグラフである。
【図２１】節の位置に出口側観測点を設定した周波数に対する減音量の特性を示したグラフである。
【図２２】節の位置に出口側観測点を設定した周波数に対する減音量の特性を示したグラフである。
【図２３】本発明の実施の形態１に係る消音器の内部空間を示す見取り図である。
【図２４】本発明の実施の形態１に係る消音器の内部空間のモデル例を示す平面図、側面図である。
【図２５】入口側観測点の座標を（ｘ，ｙ，ｚ）＝（０，０，−３５）、出口側観測点の座標を（０，７０，３５）としたときの周波数に対する減音量の特性を示したグラフである。
【図２６】円形音場における、障害物の個数と、円周方向の一次共鳴が生じたときの音圧分布の節と二次共鳴が生じたときの音圧分布の節の位置を示すマトリクスである。
【図２７】本発明の実施の形態２に係る消音器の内部空間を示す見取り図である。
【図２８】本発明の実施の形態２に係る消音器の内部空間のモデル例を示す平面図、側面図である。
【図２９】入口側観測点の座標を（ｘ，ｙ，ｚ）＝（０，０，−３５）、出口側観測点の座標を（０，７２．５，３５）としたときの周波数に対する減音量の特性を示したグラフである。
【図３０】最も基本となる形状の消音器の内部空間のモデル例を示す見取り図である。
【図３１】最も基本となる形状の消音器の内部空間のモデル例を示す平面図、側面図である。
【図３２】入口側観測点に対する出口側観測点の周波数に対する減音量の特性を示したグラフである。
【図３３】入口側観測点に対する出口側観測点の周波数に対する減音量の特性を示したグラフである。
【図３４】入口側観測点に対する出口側観測点の周波数に対する減音量の特性を示したグラフである。
【図３５】入口側観測点に対する出口側観測点の周波数に対する減音量の特性を示したグラフである。
【図３６】入口側観測点に対する出口側観測点の周波数に対する減音量の特性を示したグラフである。
【図３７】入口側観測点に対する出口側観測点の周波数に対する減音量の特性を示したグラフである。
【図３８】基本形状の消音器の内部空間のモデル例を示す平面図、側面図である。
【図３９】ｗ１に対するＲｗ１のマトリクスである。
【図４０】図３９の表の結果をグラフに変換したものである。
【図４１】くぼみの設計方法の一例を説明するための説明図である。
【図４２】本発明の実施の形態３に係る消音器の内部空間を示す見取り図である。
【図４３】本発明の実施の形態３に係る消音器の内部空間のモデル例を示す平面図、側面図である。
【図４４】入口側観測点の座標を（ｘ，ｙ，ｚ）＝（０，０，−３５）、出口側観測点の座標を（０，７５，３５）としたときの周波数に対する減音量の特性を示したグラフである。
【図４５】共鳴が生じたときの本発明の実施の形態３に係る消音器の内部空間の音圧分布の平面図と立面図である。
【図４６】本発明の実施の形態３に係る消音器の内部空間を示す見取り図である。
【図４７】本発明の実施の形態４に係る消音器の内部空間を示す見取り図である。
【図４８】本発明の実施の形態４に係る消音器の内部空間のモデル例を示す平面図、側面図である。
【図４９】入口側観測点の座標を（ｘ，ｙ，ｚ）＝（０，０，−３５）、出口側観測点の座標を（０，７５，３５）としたときの周波数に対する減音量の特性を示したグラフである。
【図５０】共鳴が生じたときの本発明の実施の形態４に係る消音器の内部空間の音圧分布の平面図と立面図である。
【図５１】平面の設計方法の一例を説明するための説明図である。
【図５２】本発明の実施の形態５に係る消音器の内部空間を示す見取り図である。
【図５３】本発明の実施の形態５に係る消音器の内部空間のモデル例を示す平面図、側面図である。
【図５４】入口側観測点の座標を（ｘ，ｙ，ｚ）＝（０，０，−３５）、出口側観測点の座標を（０，７５，３５）としたときの周波数に対する減音量の特性を示したグラフである。
【図５５】本発明の実施の形態５に係る消音器の内部空間のモデル例を示す平面図、側面図である。
【図５６】ｗ２に対するＲｗ２のマトリクスである。
【図５７】図５６の表の結果をグラフに変換したものである。
【図５８】くぼみの設計方法の一例を説明するための説明図である。
【図５９】本発明の実施の形態６に係る消音器の内部空間を示す見取り図である。
【図６０】本発明の実施の形態６に係る消音器の内部空間のモデル例を示す平面図、側面図である。
【図６１】入口側観測点の座標を（ｘ，ｙ，ｚ）＝（０，０，−３５）、出口側観測点の座標を（０，６５，３５）としたときの周波数に対する減音量の特性を示したグラフである。
【図６２】本発明の実施の形態５に係る消音器の内部空間を示す見取り図である。
【発明を実施するための形態】
【００１６】
以下、図面に基づいて本発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１７】
実施の形態１．
図１は、本発明の実施の形態１に係る消音器１４を備えたスクロール圧縮機１００の仕組みを示す概略構成図である。図１に基づいて、スクロール圧縮機１００の仕組みについてについて説明する。
【００１８】
スクロール圧縮機１００は、密閉容器１と、電動機要素４と、圧縮機要素６と、有している。密閉容器１は、スクロール圧縮機１００の外郭を構成するものである。電動機要素４は、密閉容器１の内部に設けられている固定子２と回転子３とで構成され、圧縮機要素６を駆動するものである。圧縮機要素６は、密閉容器１の内部に配置され、電動機要素４によりクランク軸５を介して駆動されるものである。
【００１９】
圧縮機要素６は、フレーム７と、固定スクロール８と、揺動スクロール１０と、で構成されている。フレーム７は、密閉容器１の内部に固定され、固定スクロール８及び揺動スクロール１０を支持するものである。また、フレーム７は、軸受１１と対をなし、クランク軸５の支持も兼ねている。固定スクロール８は、フレーム７に固定され、揺動スクロール１０とともに流体（例えば、冷媒や熱媒体等）を圧縮するものである。揺動スクロール１０は、フレーム７と固定スクロール８によって形成された空間９に納められ、クランク軸５を介して電動機要素４の回転力が伝達されるものである。
【００２０】
また、固定スクロール８には、圧縮され、高圧となった流体を吐出する吐出穴１２が形成されている。吐出穴１２には、吐出穴１２を開閉する吐出弁１３が設けられている。さらに、固定スクロール８には、消音器１４が吐出穴１２の下流側に配置されている。消音器１４の側面部には、１個あるいは複数個の吹き出し穴１５が設けられている。
なお、吐出弁１３の下流側には、消音器１４と固定スクロール８とに囲まれた空間１６が形成されている。また、消音器１４の下流側には、密閉容器１と固定スクロール８と消音器１４とに囲まれた空間１７が形成されている。
【００２１】
以上のように構成されたスクロール圧縮機１００について、以下その作用の説明をする。
固定子２に電源が供給されると、固定子２が発生する回転磁界からの回転力を受けて回転子３が回転する。回転子３の回転により、クランク軸５が回転駆動される。クランク軸５が回転駆動すると、駆動力が揺動スクロール１０へ伝えられる。揺動スクロール１０は、図示省略のオルダム機構により自転が抑制され、揺動運動を行う。
【００２２】
揺動スクロール１０が揺動運動を行なうと、固定スクロール８と揺動スクロール１０とが空間９内の流体を圧縮する。圧縮された流体は、固定スクロール８の吐出穴１２から吹き出すことになる。吹き出した流体は、吐出弁１３を押し上げ、空間１６に吐出される。ここで、空間１６に吐出された流体は、吹き出し穴１５を通り、空間１７に導かれる。
【００２３】
消音器１４は、吐出穴１２から吹き出した流体が生じさせる騒音を、吹き出し穴１５から流体が吹き出される間に低減させることを目的として設置されている。このような消音器１４を、一般的に膨張型消音器と呼ぶ。
【００２４】
図２は、消音器１４の形状例を示す斜視図である。図３は、消音器１４の平面図、断面図である。図３（ａ）が消音器１４の構成例を示す平面図であり、図３（ｂ）が（ａ）のＡ−Ｏ−Ａ断面図である。図２及び図３に基づいて、消音器１４について説明する。なお、以下では、部材のサイズ、材質、固定方法等について具体例をあげて説明するが、それらは変更可能であり、発明はその例のみに限定されない。
【００２５】
消音器１４の材料は、板厚がたとえば３ｍｍの鉄系の板材である。消音器１４は、円筒部１８と、４つの挿入管１９と、円形の天板２０と、円環状の平板２１と、で構成されており、各種部品同士は溶接で接合されている。挿入管１９が、本発明の「突起物」に相当する。
【００２６】
円筒部１８は、高さがたとえば７０ｍｍであり、外径がたとえば２０６ｍｍである。また、円筒部１８の高さ方向のたとえば３５ｍｍの位置に、円周方向に直径がたとえば２０ｍｍの穴２２を等間隔に４つ設ける。それぞれの穴２２には、挿入管１９が半径方向に円筒部１８の内側となるように溶接される。
挿入管１９は、内径がたとえば２０ｍｍであり、円筒部１８の中央の軸２３からたとえば７０ｍｍの位置まで伸ばす。
【００２７】
円筒部１８の一端には、円形の天板２０が溶接されており、反対の一端には、円環状の平板２１が溶接されている。
天板２０の直径は、たとえば２０６ｍｍである。
平板２１は、内径がたとえば２０６ｍｍ、外径がたとえば２８０ｍｍである。平板２１に対して直径がたとえば２５０ｍｍの同心円上には、消音器１４を固定スクロール８にボルトで固定するために、ボルト穴２４を円周方向に等間隔に６つ有する。
そして、消音器１４は、固定スクロール８の吐出穴１２が消音器１４の中央位置にくるように固定される。
【００２８】
ここで、消音器の動作原理について、最も基本となる形状の消音器に基づいて説明する。
図４は、最も基本となる形状の消音器２５の形状例を示す斜視図である。図５は、最も基本となる形状の消音器２５の平面図、断面図である。図５（ａ）が消音器２５の構成例を示す平面図であり、図５（ｂ）が（ａ）のＡ−Ｏ−Ａ断面図である。図４及び図５に基づいて、消音器２５について説明する。
【００２９】
消音器２５の材料は、板厚がたとえば３ｍｍの鉄系の板材である。消音器２５は、円筒部２６と、中央に吹き出し穴２７の空いた円形の天板２８Ａと、円環状の平板２８Ｂと、で構成されており、各種部品同士は溶接で接合されている。
【００３０】
円筒部２６は、高さがたとえば７０ｍｍであり、外径がたとえば２０６ｍｍである。
円筒部２６の一端には、円形の天板２８Ａが溶接されており、反対の一端には、円環状の平板２８Ｂが溶接されている。
天板２８Ａの直径は、たとえば２０６ｍｍであり、円の中央に直径がたとえば２０ｍｍの吹き出し穴２７が形成されている。
平板２８Ｂは、内径がたとえば２０６ｍｍ、外径がたとえば２８０ｍｍである。平板２１に対して直径がたとえば２５０ｍｍの同心円上には、消音器２５を固定スクロール８にボルトで固定するために、ボルト穴３０を円周方向に等間隔に６つ有する。
そして、消音器２５は、固定スクロール８の吐出穴１２が消音器２５の中央位置にくるように固定される。
【００３１】
以下、消音器２５を例に、消音器の評価方法について説明する。
図６は、消音器２５が取り付けられたスクロール圧縮機の消音器２５の部分を拡大して示す概略図である。消音器２５の形状は、固定スクロール８の吐出穴１２と消音器２５の吹き出し穴２７の両方が、固定スクロール８と消音器２５に囲まれた円筒状空間３１の円形端部の中央に位置するようになっている。ここで、固定スクロール８の吐出穴１２の管路入口側の中央位置を入口側観測点３２とし、消音器２５の吹き出し穴２７の管路入口側の中央位置を出口側観測点３３とする。入口側観測点３２における音圧をｐ１、音圧レベルをＬｐ１、出口側観測点３３における音圧をｐ２、音圧レベルをＬｐ２とし、減音量ＮＲを以下の式（１）で定義する。
【００３２】
【数１】
0006667319.tif 000002
この式（１）は、白木万博著「騒音防止設計とシミュレーション」（産業科学システムズ）、１９８７年に記載されている。
【００３３】
減音量ＮＲの値が正の数であることは、入口側観測点３２における音圧レベル（Ｌｐ１）よりも出口側観測点３３における音圧レベル（Ｌｐ２）の方が小さいことを示し、消音器２５によって騒音が抑制されたことを示す。つまり、減音量ＮＲの値が大きいほど、消音器２５による減音の効果が大きい。
【００３４】
問題を単純化するために、入口側観測点３２から出口側観測点３３までの流体の流路について、対象とする円筒状空間３１の内部での音響モードは閉口端でも開口端でも変わらないため、入口側観測点３２と出口側観測点３３にフタをして閉口端とし、吐出弁１３を除いた。また、各種寸法が整数となるようにした典型的な消音器の内部空間３４のモデルを図７及び図８に示す。図７は、消音器２５の内部空間３４のモデル例を示す見取り図である。図８は、消音器２５の内部空間３４のモデル例を示す平面図、側面図である。
【００３５】
図７及び図８に示す本形状を基本形状と呼ぶ。原点３５の座標を（ｘ，ｙ，ｚ）＝（０，０，０）とする。この座標系における単位はｍｍとする。入口側観測点（ｐｔ．１）３６の座標は（０，０，−３５）、出口側観測点（ｐｔ．２）３７の座標は（０，０，７０）である。入口側端面３８を音響放射面とし、周波数に寄らず、一律１  ｍ／ｓの粒子速度を与える。流体は乾燥空気として、音速ｃ＝３４０ｍ／ｓ、空気密度r＝１．２２５ｋｇ／ｍ３とする。
【００３６】
基本形状について、消音器の内部空間３４を有限要素で満たし、入口側端面３８を入力面として、５Ｈｚから５０００Ｈｚの間を５Ｈｚ刻みで音響解析をした。図９は、基本形状についての周波数に対する減音量の特性を示したグラフである。図９の横軸は周波数をＨｚ単位で示し、縦軸は減音量をｄＢ単位で示す。
【００３７】
図９に示すように、周波数に対する減音量の特性上に、複数の尖った谷であるディップと、尖った山であるピークが存在する。このうち、丸で囲んだピークとディップを、低い周波数から順にディップ（１）３９、ピーク４０、ディップ（２）４１、ディップ（３）４２、ディップ（４）４３、ディップ（５）４４、ディップ（６）４５、ディップ（７）４６とする。
【００３８】
ピークとディップの生じる原因について、以下に示す。
ディップ（１）３９は、消音器の内部空間３４が共鳴器型消音器として作用して生じたディップである。このディップ（１）３９の周波数ｆは、音速ｃと、入口側管路４７の長さＬと断面積Ｓ、膨張部４８の容積Ｖを用いて以下のヘルムホルツ共鳴の式（２）で求めることができる。
【００３９】
【数２】
0006667319.tif 000003
【００４０】
この周波数ｆ以下の周波数、およびこの周波数ｆ付近の周波数においては、減音量は０以下となり、入口側観測点（ｐｔ．１）３６における音圧レベルよりも出口側観測点（ｐｔ．２）３７における音圧レベルの方が高くなるため、ディップ（１）３９の周波数は低いほうが好ましい。ディップ（１）３９の生じる周波数よりも低い周波数では減音量が常に０以下となることから、ディップ（１）３９の周波数を、基本形状の消音器の下限周波数ｆｍｉｎとする。膨張部４８の容積Ｖに着目すると、下限周波数ｆｍｉｎは、膨張部４８の容積Ｖが大きいほど低い周波数に移動し、また、膨張部４８の容積Ｖが小さいほど高い周波数に移動する。
【００４１】
図１０は、共鳴が生じたときの基本形状の消音器の内部空間の音圧分布の平面図と立面断面図である。つまり、図１０では、ピーク４０が生じる周波数における、基本形状の消音器の内部空間３４の音圧分布の平面図と、ｙｚ平面で切断した断面図を示している。また、図１０では、音圧分布の節４９の位置を二重線で示している。図１０に示すように、音圧分布の節４９が、出口側観測点（ｐｔ．２）３７と重なっている。
【００４２】
節の位置の音圧レベルは低く、入口側観測点（ｐｔ．１）３６の音圧レベルに比べて小さくなったため、結果として減音量が増加し、ピーク４０が生じた。音圧分布の節４９は、原点３５を音圧分布の腹とし、膨張部４８の長さＬ’だけ離れた位置に半球状に生じている。つまり、長さＬ’の中に丁度１／４波長入るときにピーク４０が生じる。そのため、ピーク４０が生じる周波数ｆは以下の式（３）で求めることができる。
【００４３】
【数３】
0006667319.tif 000004
【００４４】
ディップ（２）４１、ディップ（３）４２、ディップ（４）４３、ディップ（５）４４、ディップ（６）４５、ディップ（７）４６については、すべて消音器の内部空間３４の膨張部４８において共鳴が生じ、出口側観測点（ｐｔ．２）３７が消音器の内部空間３４における音圧分布において腹の位置となり、出口側観測点（ｐｔ．２）３７における音圧レベルが、入口側観測点（ｐｔ．１）３６と比較して大きくなったことが原因で生じた。
【００４５】
図１１は、共鳴が生じたときの基本形状の消音器の内部空間の音圧分布の平面図と立面断面図である。つまり、図１１では、ディップ（２）４１が生じる周波数における、消音器の内部空間３４の音圧分布の平面図と、ｙｚ平面で切断した断面図を示している。
図１２は、共鳴が生じたときの基本形状の消音器の内部空間の音圧分布の平面図と立面断面図である。つまり、図１２では、ディップ（３）４２が生じる周波数における、消音器の内部空間３４の音圧分布の平面図と、ｙｚ平面で切断した断面図を示している。
図１３は、共鳴が生じたときの基本形状の消音器の内部空間の音圧分布の平面図と立面断面図である。つまり、図１３では、ディップ（４）４３が生じる周波数における、消音器の内部空間３４の音圧分布の平面図と、ｙｚ平面で切断した断面図を示している。
【００４６】
図１４は、共鳴が生じたときの基本形状の消音器の内部空間の音圧分布の平面図と立面断面図である。つまり、図１４では、ディップ（５）４４が生じる周波数における、消音器の内部空間３４の音圧分布の平面図と、ｙｚ平面で切断した断面図を示している。
図１５は、共鳴が生じたときの基本形状の消音器の内部空間の音圧分布の平面図と立面断面図である。つまり、図１５では、ディップ（６）４５が生じる周波数における、消音器の内部空間３４の音圧分布の平面図と、ｙｚ平面で切断した断面図を示している。
図１６は、共鳴が生じたときの基本形状の消音器の内部空間の音圧分布の平面図と立面断面図である。つまり、図１６では、ディップ（７）４６が生じる周波数における、消音器の内部空間３４の音圧分布の平面図と、ｙｚ平面で切断した断面図を示している。
【００４７】
図１１に示すように、ディップ（２）４１が生じる周波数では、ｘｙ平面の半径方向に一次の共鳴が生じている。同様にして、図１２は、ディップ（３）４２が生じる周波数では、ｚ軸方向に一次の共鳴が生じていることを示す。図１３は、ディップ（４）４３が生じる周波数では、ｘｙ平面の半径方向に一次の共鳴と、ｚ軸方向に一次の共鳴が同ときに生じていることを示す。図１４は、ディップ（５）４４が生じる周波数では、ｘｙ平面の半径方向に二次の共鳴が生じていることを示す。図１５及び図１６は、ディップ（６）４５とディップ（７）４６が生じる周波数では、ｘｙ平面の半径方向に二次の共鳴と、ｚ軸方向に一次の共鳴が同ときに生じていることを示す。
【００４８】
それぞれの共鳴周波数ｆは、ｘｙ平面の半径方向の共鳴の次数をｍ、円周方向の共鳴の次数をｎ、ｚ軸方向の共鳴の次数をｌとし、ｘｙ平面方向の共鳴の次数によって決定する係数βｎｍ、膨張部４８の半径ａ、長さＬ’を用いて、以下の式（４）で求めることができる。
【００４９】
【数４】
0006667319.tif 000005
この式（４）は、白木万博著「騒音防止設計とシミュレーション」（産業科学システムズ）、１９８７年に記載されている。
【００５０】
図１７は、低い次数における係数βｎｍ／πの対応表を示したものである。これらの周波数ｆは、膨張部４８の半径ａや長さＬ’が小さいほど高い周波数に移動する。しかし、膨張部４８の半径ａや長さＬ’が小さくなると、その積によって求められる膨張部４８の容積Ｖも小さくなり、その結果、消音器の下限周波数ｆｍｉｎが高い周波数に移動することに注意が必要である。
【００５１】
ここで、ディップ（２）４１が生じる周波数、つまり、ｘｙ平面の半径方向に一次の共鳴が生じる周波数における音圧分布について説明する。
ｙ＝０、ｚ＝７０の直線上の音圧について考える。この直線上で、０≦ｘ≦１００の範囲において最も音圧の高い点はｘ＝０における音圧であり、出口側観測点（ｐｔ．２）３７における音圧Ｐ２である。この直線上の音圧Ｐｘは以下の式（５）で求めることができる。
【００５２】
【数５】
0006667319.tif 000006
この式（５）は、白木万博著「騒音防止設計とシミュレーション」（産業科学システムズ）、１９８７年に記載されている。
【００５３】
Ｊ０（ｔ）は零次のベッセル関数である。ｘ＝０における音圧レベルに対する、ｘ＝ｘにおける音圧レベルの差をΔＮＲと置き、以下の式（６）で定義する。
【数６】
0006667319.tif 000007
【００５４】
図１８は、ΔＮＲとｘ／ａとの関係を示したグラフを示したものである。図１８の横軸はｘ／ａを示し、縦軸は音圧レベルの差であるΔＮＲをｄＢ単位で示す。
図１８に示すように、ｘ＝０．６２７ａのとき、ピーク５０が生じる。また、ｘ／ａが０から１に近づくに従い、ΔＮＲはピーク５０を生じさせながら、ゆるやかに増加する。中央から０．６２７ａはなれた位置、つまり半径６２．７ｍｍの位置が音圧分布の節である。
【００５５】
この節の位置に出口側観測点（ｐｔ．３）５１を設定し、音響解析によって求めた周波数に対する減音量の特性を示した結果を、図９と同様にして図１９に示す。図１９は、節の位置に出口側観測点（ｐｔ．３）５１を設定した周波数に対する減音量の特性を示したグラフである。図１９の横軸は周波数をＨｚ単位で示し、縦軸は減音量をｄＢ単位で示す。また、実線５２が出口側観測点（ｐｔ．２）３７における減音量の特性の結果を示し、実線５３が出口側観測点（ｐｔ．３）５１における減音量の特性の結果を示している。
【００５６】
ｘｙ平面の半径方向の一次の共鳴によるディップである、ディップ（２）４１とディップ（４）４３がなくなり、減音量が増加している。また、ｘｙ平面の半径方向の二次の共鳴によるディップである、ディップ（５）４４、ディップ（６）４５、ディップ（７）４６についても、減音量が増加しているが、これは、一次の共鳴の音圧分布と同様に、円筒の中央部分よりも外側部分の方が音圧レベルが低いため、二次の共鳴によるディップの減音量も増加したためである。
【００５７】
次に、ディップ（３）４２が生じる周波数、つまりｚ軸方向に一次の共鳴が生じる周波数における音圧分布について説明する。
ｘ＝０、ｙ＝０の直線上の音圧について考える。この直線上で、０≦ｚ≦７０の範囲において、最も音圧の高い点は、ｚ＝０、もしくはｚ＝７０における音圧であり、出口側観測点（ｐｔ．２）３７における音圧Ｐ２である。この直線上の音圧Ｐｚは以下の式（７）で求めることができる。
【００５８】
【数７】
0006667319.tif 000008
【００５９】
ｚ＝７０における音圧レベルに対する、ｚ＝ｚにおける音圧レベルの差をΔＮＲと置き、以下の式（８）で定義する。
【数８】
0006667319.tif 000009
【００６０】
図２０は、ΔＮＲとｚ／Ｌ’の関係を示したグラフである。図２０の横軸はｚ／Ｌ’を示し、縦軸は音圧レベルの差であるΔＮＲをｄＢ単位で示す。
ｚ＝０．５Ｌ’のとき、ピーク５４が生じる。つまり、膨張部４８の長さ方向の丁度中間位置、ｚ＝３５の位置に節が生じる。
【００６１】
この節の位置に出口側観測点（ｐｔ．４）５５を設定し、音響解析によって求めた周波数に対する減音量の特性を示した結果を、図９と同様にして図２１に示す。図２１は、節の位置に出口側観測点（ｐｔ．４）５５を設定した周波数に対する減音量の特性を示したグラフである。図２１の横軸は周波数をＨｚ単位で示し、縦軸は減音量をｄＢ単位で示す。また、実線５２が出口側観測点（ｐｔ．２）３７における減音量の特性の結果を示し、実線５６が出口側観測点（ｐｔ．４）５５における減音量の特性の結果を示している。
【００６２】
ｚ軸方向の一次の共鳴によるディップである、ディップ（３）４２、ディップ（４）４３、ディップ（６）４５、ディップ（７）４６のうち、ディップ（３）４２とディップ（４）４３はなくなり、ディップ（６）４５とディップ（７）４６の減音量は増加したがディップ自体は残った。これは、ディップ（３）４２とディップ（４）４３の節の位置は丁度ｚ＝３５の位置に生じたのに対し、ディップ（６）４５とディップ（７）４６の節の位置はｚ＝３５から外れた位置に生じたことが原因である。
【００６３】
節の位置がｚ＝３５に生じなかった理由は、ディップ（６）４５とディップ（７）４６が生じる周波数における波長が、入口側管路４７の長さと同程度の長さとなり、ｚ＝０付近に、膨張部４８における共鳴の節とは無関係な共鳴の節が生じ、膨張部４８における共鳴の節に干渉したためである。
なお、ｚ軸方向に節が生じない共鳴によって生じるディップ（２）４１とディップ（５）４４についても減音量が増加しているが、これは、出口側観測点（ｐｔ．４）５５が膨張部４８の円筒の中央部分から離れた位置にあり、ｘｙ平面の半径方向の共鳴が生じる周波数においては、円筒の中央部分よりも外側部分の方が音圧レベルが低いことが原因である。
【００６４】
上記では、２種類の共鳴が生じたときの節の位置に出口側観測点を設置することによる効果について説明したが、２種類の共鳴が生じたときの音圧分布の節の交差点である、出口側観測点（ｐｔ．５）５７を設定し、音響解析によって求めた周波数に対する減音量の特性を示した結果を、図９と同様にして図２２に示す。図２２は、節の位置に出口側観測点（ｐｔ．４）５５を設定した周波数に対する減音量の特性を示したグラフである。図２２の横軸は周波数をＨｚ単位で示し、縦軸は減音量をｄＢ単位で示す。また、実線５２が出口側観測点（ｐｔ．２）３７における減音量の特性の結果を示し、実線５８が出口側観測点（ｐｔ．５）５７における減音量の特性の結果を示している。
【００６５】
図２２に示すように、ディップ（１）３９、ディップ（５）４４、ディップ（６）４５、ディップ（７）４６以外のディップがなくなり、ディップ（１）３９からディップ（５）４４までの周波数においては、ディップの存在しない特性である。
【００６６】
以上のことから、基本形状の消音器の減音量を増加させる方法としては、出口側観測点（ｐｔ．５）５７の位置に出口穴を設けることが望ましいということがわかった。
【００６７】
図２３は、消音器１４の内部空間５９を示す見取り図である。図２４は、消音器１４の内部空間５９のモデル例を示す平面図、側面図である。
内部空間５９は、図７で示した基本形状の消音器２５の内部空間３４に、直径がたとえば２６ｍｍの円柱状の穴６０を、膨張部４８の長さ方向に対して丁度半分の長さの位置から、半径方向に半径がたとえば７０ｍｍの深さまで、円周方向に４つ等間隔に空けた形状である。なお、数値に関しては典型的な例を示すもので、これらの値に限定されるものではない。
【００６８】
消音器１４の形状は、一般的に側面入出力形と挿入管形と呼ばれる２種類の形状の組み合わせである。この４つの円柱状の穴６０のうち、出口が空いている穴は、１つ以上あればよい。穴の空いていない円柱状の穴６０については、単純な突起物であればよい。流体の出口は、挿入管形の中央側先端に形成する。入口側観測点６１の座標を（ｘ，ｙ，ｚ）＝（０，０，−３５）、出口側観測点６２の座標を（０，７０，３５）としたときの、周波数に対する減音量の特性を示した結果を音響解析により求め、図９と同様にして図２５に示す。
【００６９】
図２５は、入口側観測点６１の座標を（ｘ，ｙ，ｚ）＝（０，０，−３５）、出口側観測点６２の座標を（０，７０，３５）としたときの周波数に対する減音量の特性を示したグラフである。図２５の横軸は周波数をＨｚ単位で示し、縦軸は減音量をｄＢ単位で示す。また、実線６３が基本形状の消音器の内部空間３４の入口側観測点（ｐｔ．１）３６に対する出口側観測点（ｐｔ．５）５７の減音量の特性の結果を示し、実線６４が消音器１４の内部空間５９の入口側観測点６１に対する出口側観測点６２の減音量の特性の結果を示している。
【００７０】
図２５に示すように、実線６３と実線６４がよく一致している。つまり、消音器１４の内部空間５９の形状であれば、ｘｙ平面の半径方向に一次の共鳴と、ｚ軸方向の一次の共鳴によるディップを無くし、また、ｘｙ平面の半径方向に二次の共鳴によるディップを抑制する効果が得られる。
【００７１】
消音器１４の内部空間５９で、以上のような作用が得られる理由について以下で説明する。
ｚ軸方向について、膨張部６５は、円柱状の穴６０を含めてｚ＝３５の平面に対して鏡面対称である。このため、ｚ軸方向の一次の共鳴が生じるときの音圧分布の節位置は、基本形状の消音器の内部空間３４と同様にｚ＝３５の位置に生じる。出口側観測点の位置も節位置と同じであるため、ｚ軸方向の一次の共鳴によって生じるディップが存在しない。
【００７２】
次に、ｘｙ平面方向における、円周方向の一次と二次の共鳴が生じるときの音圧分布の節位置を、それぞれ、円柱状の穴６０が無い場合と、円柱状の穴６０が１つある場合、円柱状の穴６０が円周方向に等間隔に２つある場合、円柱状の穴６０が円周方向に等間隔に４つある場合についてまとめた表を図２６に示す。図２６は、円形音場における、障害物の個数と、円周方向の一次共鳴が生じたときの音圧分布の節と二次共鳴が生じたときの音圧分布の節の位置を示すマトリクスである。
【００７３】
まず、円柱状の穴６０が無い場合は、図７に示す基本形状の消音器の内部空間３４と同じ形状であり、ｘｙ平面方向における円周方向の一次と二次の共鳴の節が、丁度、円の中央６６を通るように生じる。膨張部４８において、音波が膨張部４８に入力される位置は円の中央６６であるため、円の中央６６が節となる共鳴は生じない。このため、基本形状の消音器の内部空間３４では、ｘｙ平面方向における円周方向の一次と二次の共鳴によって生じるディップが存在しない。
【００７４】
次に、円柱状の穴６０がある場合について、円柱状の穴６０は、膨張部４８に対して障害物となり、共鳴の節の位置は障害物となる円柱状の穴６０の影響を受ける。ｘｙ平面方向の円周方向の一次と二次の共鳴の節は、障害物の位置に生じる場合と、障害物の位置を腹位置として生じる場合と２種類存在する。まず、円柱状の穴６０が１つある場合は、一次の共鳴の節も、二次の共鳴の節も、障害物の位置を腹位置として生じる場合には、円柱状の穴６０から離れる方向にずれた位置に生じる。そして、節の位置が円の中央６６から外れ、ｘｙ平面方向の円周方向の一次と二次の共鳴が生じ、周波数に対する減音量の特性にもディップが生じる。
【００７５】
このように、障害物が奇数個の場合には、一次と二次の共鳴の節が障害物の位置を腹位置として生じるとき、節位置が円の中央６６から外れた位置に生じるため、障害物が３つの場合にも障害物が１つ場合と同様に周波数に対する減音量の特性にディップが生じる。そのため、障害物が３つの場合の図については省略する。
【００７６】
次に、円柱状の穴６０が２つある場合には、一次の共鳴の節は円柱状の穴６０が無い場合と同じ位置に生じるが、二次の共鳴の節は二つに分かれ、節位置は円の中央６６から離れる。よって、円柱状の穴６０が２つある場合には、ｘｙ平面の円周方向の二次の共鳴が生じ、周波数に対する減音量の特性にディップが生じる。
【００７７】
最後に、円柱状の穴６０が４つある場合は、ｘｙ平面方向の円周方向の一次の共鳴の節の位置も、二次の共鳴の節の位置も、円柱状の穴６０が無い場合と同じように、円の中央６６を通るようにして生じる。
【００７８】
以上のことから、円柱状の穴６０の個数は、円周方向に等間隔に４つある必要がある。
また、円柱状の穴６０の深さを、半径方向に６２．７ｍｍの位置ではなく、半径方向に７０ｍｍの位置としたのは、円柱状の穴６０により、ｘｙ平面方向の半径方向の一次の共鳴の節の位置が移動し、その移動に合わせて円柱状の穴６０の深さを調整したためである。
なお、穴６０の形状については、内部空間５９に示したような真円形である必要は無い。穴６０の形状は楕円形や正方形、長方形であっても、図２５に示す減音量と同等の効果が得られる。ただし、穴６０の形状はｚ＝３５の平面に対して、鏡面対称であり、ｚ軸方向に短いことが望ましい。
【００７９】
穴６０の中央の位置については、節の位置の付近であれば、節の位置である必要はない。ただし、ｘｙ平面の半径方向の一次の共鳴については、図１８に示すように穴６０の位置が膨張部６５の半径に対して５％以上節の位置から離れると、位置を変更したことによる効果は２０ｄＢ以下となる。また、ｚ軸方向の一次の共鳴については、図２０に示すように穴６０の位置が膨張部６５の長さに対して３％以上節の位置から離れると、位置を変更したことによる効果は２０ｄＢ以下となる。
なお、円柱状の穴６０の大きさについて、小さいことが望ましいが、寸法を特定する必要は無い。本発明の実施の形態１による効果を得ることができる円柱状の穴６０の大きさの範囲については、実施の形態２の説明文中に示す。
【００８０】
実施の形態２．
図２７は、本発明の実施の形態２に係る消音器１４Ａの内部空間６７を示す見取り図である。図２８は、消音器１４Ａの内部空間６７のモデル例を示す平面図、側面図である。なお、実施の形態２では実施の形態１との相違点を中心に説明し、実施の形態１と同一部分には、同一符号を付して説明を省略するものとする。
【００８１】
。
実施の形態１では、円柱状の穴６０を設けた例を説明したが、実施の形態２では、図２７及び図２８に示すように、円周外部に４つ等間隔にくぼみ６８を設け、くぼみ６８の中央に出口穴を設けるようにしてもよい。
【００８２】
くぼみ６８は、円筒状の穴６０をｚ軸方向に引き伸ばした形状であり、消音器１４Ａの形状は、側面入出力形と挿入管形の組み合わせの変化形状である。入口側観測点６９の座標を（ｘ，ｙ，ｚ）＝（０，０，−３５）、出口側観測点７０の座標を（０，７２．５，３５）としたときの、周波数に対する減音量の特性を示した結果を音響解析により求め、図９と同様にして図２９に示す。
図２９は、入口側観測点６９の座標を（ｘ，ｙ，ｚ）＝（０，０，−３５）、出口側観測点７０の座標を（０，７２．５，３５）としたときの周波数に対する減音量の特性を示したグラフである。図２９の横軸は周波数をＨｚ単位で示し、縦軸は減音量をｄＢ単位で示す。また、実線６３が基本形状の消音器の内部空間３４の入口側観測点（ｐｔ．１）３６に対する出口側観測点（ｐｔ．５）５７の減音量の特性の結果を示し、実線７１が消音器１４Ａの内部空間６７の入口側観測点６９に対する出口側観測点７０の減音量の特性の結果を示している。
【００８３】
図２９に示すように、実線６３と実線７１がよく一致している。つまり、図２３及び図２４に示す、円柱状の穴６０の代わりに、くぼみ６８を設け、くぼみ６８の中央に出口穴を設けることによっても、実施の形態１と同等の効果を得ることができる。実施の形態２の消音器１４Ａの形状は、例えば、図１の消音器１４を固定スクロール８にボルトで固定するときに、ボルト穴の位置として活用することができるため、ボルト穴を設けるために、消音器１４の口径を小さくする必要がない。膨張型消音器の最大減音量Ａは、図８の入口側管路４７の断面積Ｓと、膨張部４８の断面積Ｓ’を用いて、以下の式（９）で求めることができる。
【００８４】
【数９】
0006667319.tif 000010
この式（９）は、白木万博著「騒音防止設計とシミュレーション」（産業科学システムズ）、１９８７年に記載されている。
【００８５】
これは、入口側管路４７の断面積が小さく、膨張部４８の断面積が大きいほど、減音量が大きくなることを示している。入口側管路４７は、細くすると流体の抵抗が大きくなるため、細くするには限界があり、また、膨張部４８も、密閉容器１の中に納める必要があるため、大きくするのにも限界がある。そのため、消音器１４の口径を小さくせずに済むことは、消音器としての減音量を大きくすることになる。
なお、くぼみ６８の大きさについて、図２８に示す寸法である必要は無い。本発明の効果が得られるくぼみ６８の大きさについて、以下に説明する。
【００８６】
まずは、ｘｙ平面方向の半径方向の一次の共鳴が生じたときの節の位置付近の観測点における周波数に対する減音量の特性を確認し、節の位置の決定方法を示す。図７及び図８に示した基本形状の消音器の内部空間３４について、出口側観測点の位置を変更し、図３０及び図３１に示す。図３０は、最も基本となる形状の消音器の内部空間３４のモデル例を示す見取り図である。図３１は、最も基本となる形状の消音器の内部空間３４のモデル例を示す平面図、側面図である。
【００８７】
入口側観測点（ｐｔ．１）３６の座標を（ｘ，ｙ，ｚ）＝（０，０，−３５）、基準となる出口側観測点（ｐｔ．６）７２の座標を（０，０，３５）、ｘｙ平面方向の半径方向の一次の共鳴が生じたときの音圧分布の節付近の出口側観測点を５つ設定する。そして、それぞれ、出口側観測点（ｐｔ．７）７３の座標を（０，６０，３５）、出口側観測点（ｐｔ．８）７４の座標を（０，６２．５，３５）、出口側観測点（ｐｔ．９）７５の座標を（０，６５，３５）、出口側観測点（ｐｔ．１０）７６の座標を（０，６７．５，３５）、出口側観測点（ｐｔ．１１）７７の座標を（０，７０，３５）とする。
【００８８】
まず、入口側観測点（ｐｔ．１）３６に対する出口側観測点（ｐｔ．６）７２の周波数に対する減音量の特性を示した結果を、図９と同様にして図３２示す。図３２は、入口側観測点（ｐｔ．１）３６に対する出口側観測点（ｐｔ．６）７２の周波数に対する減音量の特性を示したグラフである。図３２の横軸は周波数をＨｚ単位で示し、縦軸は減音量をｄＢ単位で示す。図３２に示すディップ７８は、ｘｙ平面方向の半径方向の一次の共鳴が原因で生じるディップである。ここで、図３２中のピーク７９の周波数をｆｐ、ディップ７８の周波数をｆｄとする。
【００８９】
次に、入口側観測点（ｐｔ．１）３６に対する出口側観測点（ｐｔ．７）７３、出口側観測点（ｐｔ．８）７４、出口側観測点（ｐｔ．９）７５、出口側観測点（ｐｔ．１０）７６、出口側観測点（ｐｔ．１１）７７の周波数に対する減音量の特性を示した結果を、入口側観測点（ｐｔ．１）３６に対する出口側観測点（ｐｔ．６）７２の周波数に対する減音量の特性を示した結果と合わせて、図９と同様にして、図３３〜図３７にそれぞれ示す。
【００９０】
図３３は、入口側観測点（ｐｔ．１）３６に対する出口側観測点（ｐｔ．７）７３の周波数に対する減音量の特性を示したグラフである。
図３４は、入口側観測点（ｐｔ．１）３６に対する出口側観測点（ｐｔ．８）７４の周波数に対する減音量の特性を示したグラフである。
図３５は、入口側観測点（ｐｔ．１）３６に対する出口側観測点（ｐｔ．９）７５の周波数に対する減音量の特性を示したグラフである。
図３６は、入口側観測点（ｐｔ．１）３６に対する出口側観測点（ｐｔ．１０）７６の周波数に対する減音量の特性を示したグラフである。
図３７は、入口側観測点（ｐｔ．１）３６に対する出口側観測点（ｐｔ．１１）７７の周波数に対する減音量の特性を示したグラフである。
図３３〜図３７の横軸は周波数をＨｚ単位で示し、縦軸は減音量をｄＢ単位で示す。
【００９１】
図３３〜図３７に示す実線８０は出口側観測点（ｐｔ．６）７２における減音量特性の結果を示し、実線８１〜８５は、それぞれ出口側観測点（ｐｔ．７）７３、出口側観測点（ｐｔ．８）７４、出口側観測点（ｐｔ．９）７５、出口側観測点（ｐｔ．１０）７６、出口側観測点（ｐｔ．１１）７７における減音量特性の結果を示している。
【００９２】
図３３〜図３７のそれぞれのピーク８６〜９０とディップ９１〜９５について、ディップの生じる周波数ｆｄは変わらないが、出口側観測点のｙ座標が、ｘｙ平面方向の半径方向の一次の共鳴が生じたときの音圧分布の節位置である、ｙ＝６２．７に近いほど、ピークの生じる周波数ｆｐがディップの生じる周波数ｆｐに近づく。つまり、このピークの生じる周波数ｆｐとディップの生じる周波数ｆｄの差の絶対値｜ｆｄ−ｆｐ｜が小さいほど、出口側観測点の位置がｘｙ平面方向の半径方向の一次の共鳴が生じたときの音圧分布の節の位置に近く、前記５つのｘｙ平面方向の半径方向の一次の共鳴が生じたときの音圧分布の節の位置付近の出口側観測点の中では、出口側観測点（ｐｔ．８）７４が、最もｘｙ平面方向の半径方向の一次の共鳴が生じたときの音圧分布の節の位置に近い点であることを示している。
【００９３】
次に、くぼみの大きさを、くぼみの幅とくぼみの半径方向の深さに分け、くぼみの幅に対して、本発明の効果が最も得られるくぼみの半径方向の深さの関係について、図３８に示すモデル用いた確認方法を示す。図３８は、基本形状の消音器の内部空間９６のモデル例を示す平面図、側面図である。
【００９４】
図３８に示す内部空間９６は、図２８に示す内部空間６７と同様に、円周方向に等間隔に４つのくぼみ９７がある。くぼみ９７の幅をｗ１［ｍｍ］とし、くぼみ９７から内部空間９６の中央までの半径方向の距離をＲｗ１［ｍｍ］とする。くぼみ９７の幅ｗ１が半径に対して２の２分の１乗倍となるとき、内部空間９６の形状が正方形となるため、消音器１４のくぼみを形成するためのｗ１の範囲は０から１４１．４である。
【００９５】
また、ｗ１の半分の幅が、Ｒｗ１よりも大きくなると、隣り合うくぼみ９７同士が干渉し、本発明の形状とならない。ｗ１を５、１０、２０、４０、８０、１００、１２０の７条件とし、各幅において、Ｒｗ１を６２．５から２．５間隔で設定した。入口側観測点９８の座標を（ｘ，ｙ，ｚ）＝（０，０，−３５）、出口側観測点９９の座標を（０，Ｒｗ１，３５）としたときの、周波数に対する減音量の特性を音響解析により求め、図３２と同様にしてピークの生じる周波数ｆｐとディップの生じる周波数ｆｄを求めた。
【００９６】
ピークの生じる周波数ｆｐとディップの生じる周波数ｆｄの差の絶対値｜ｆｄ−ｆｐ｜が最も小さくなるときのＲｗ１について、図３９の表にまとめた。図３９は、ｗ１に対するＲｗ１のマトリクスである。図３９の表は、例えば、ｗ１＝２０において、本発明の効果が最も大きいＲｗ１の値は７２．５であることを示している。空間３４における結果について、ｗ１＝０の結果とし、同様に図３９の表に示した。図３９の表の結果を、横軸をＲｗ１／１００、縦軸を（ｗ１／２）／１００としたグラフに変換し、図４０に実線１００で示す。つまり、図４０は、図３９の表の結果をグラフに変換したものである。
【００９７】
実線１００は、内部空間９６が正方形となるＲｗ１／１００＝（ｗ１／２）／１００＝１４１．４の点まで延長した線である。また、Ｒｗ１／１００＝（ｗ１／２）／１００となる直線１０１、単位円１０２、実線１００をＲｗ１／１００軸方向に０．０５移動させた実線１０３、実線１００をＲｗ１／１００軸方向に−０．０５移動させた破線１０４、直線１０１と単位円１０２の交点を点Ａ１０５、単位円１０２と実線１０３の交点を点Ｂ１０６、実線１０３とＲｗ１／１００軸の交点を点Ｃ１０７、Ｒｗ１／１００軸と破線１０４の交点を点Ｄ１０８、破線１０４と直線１０１の交点を点Ｅ１０９とする。
【００９８】
点Ａ１０５、点Ｂ１０６、点Ｃ１０７、点Ｄ１０８、点Ｅ１０９で囲まれた領域１１０を、本発明による効果が得られる範囲とする。図４０に示す範囲は、図１８に示すように、ｘｙ平面方向の半径方向の一次の共鳴が生じたときの音圧分布において、節の位置から０．０５以上離れた位置では、減音量の増加が２０ｄＢ以下となることから決定した。
【００９９】
くぼみの設計方法について、図４１に例を示す。図４１は、くぼみの設計方法の一例を説明するための説明図である。領域１１０の内部において、任意の点Ｆ１１１を決定すると、くぼみ９７の形状が決まる。実線１００に近い位置では本特許の効果が大きいが、実線１００から離れた位置では本特許の効果は小さい。
【０１００】
なお、実施の形態２について、円柱状の穴６０は、くぼみ６８をｚ軸方向に短くした形状であると考えることができる。よって、円柱状の穴６０の直径をｗ１、円柱状の穴６０から内部空間５９の中央までの半径方向の距離をＲｗ１として設計が可能である。ただし、円柱状の穴６０はくぼみ６８に比べるとｚ軸方向に短いため、（ｗ１／２）／１００の増加に対してＲｗ１／１００が増加する、（ｗ１／２）／１００が０から０．４の範囲においては、Ｒｗ１を２．５％小さく見積もる必要がある。
【０１０１】
実施の形態３．
図４２は、本発明の実施の形態３に係る消音器１４Ｂの内部空間１１２を示す見取り図である。図４３は、消音器１４Ｂの内部空間１１２のモデル例を示す平面図、側面図である。なお、実施の形態３では実施の形態１、２との相違点を中心に説明し、実施の形態１、２と同一部分には、同一符号を付して説明を省略するものとする。
【０１０２】
。
実施の形態２では、円周外部に４つ等間隔にくぼみ６８を設け、くぼみ６８の中央に出口穴を設けるようにした例を説明したが、実施の形態３では、図４２及び図４３に示すように、テーパを付けたくぼみ１１３としてもよい。
【０１０３】
入口側観測点１１４の座標を（ｘ，ｙ，ｚ）＝（０，０，−３５）、出口側観測点１１５の座標を（０，７５，３５）としたときの、周波数に対する減音量の特性を示した結果を音響解析により求め、図９と同様にして図４４に示す。
図４４は、入口側観測点１１４の座標を（ｘ，ｙ，ｚ）＝（０，０，−３５）、出口側観測点１１５の座標を（０，７５，３５）としたときの周波数に対する減音量の特性を示したグラフである。図４４の横軸は周波数をＨｚ単位で示し、縦軸は減音量をｄＢ単位で示す。また、実線６３が基本形状の消音器の内部空間３４の、入口側観測点（ｐｔ．１）３６に対する出口側観測点（ｐｔ．５）５７の減音量の特性の結果を示し、実線１１６が消音器１４Ｂの内部空間１１２の入口側観測点１１４に対する出口側観測点１１５の減音量の特性の結果を示している。
【０１０４】
図４４に示すように、実線６３と実線１１６を比較すると、実線１１６にはディップ１１７が生じている以外についてはよく一致している。ディップ１１７が生じるときの内部空間１１２の音圧分布の平面図とｘ軸方向からみた立面図を図４５に示す。つまり、図４５は、共鳴が生じたときの消音器１４Ｂの内部空間１１２の音圧分布の平面図と立面図である。これは、ｘ軸方向の二次の共鳴とｙ軸方向の二次の共鳴の組み合わせの共鳴である。ディップ１１７が生じる周波数ｆは、くぼみ１１３のある内部空間１１２のｘ軸方向の長さＬｘとｙ軸方向の長さＬｙを用いて、以下の式（１０）で求めることができる。
【０１０５】
【数１０】
0006667319.tif 000011
この式（１０）は、白木万博著「騒音防止設計とシミュレーション」（産業科学システムズ）、１９８７年に記載されている。
【０１０６】
この共鳴は、くぼみ１１３にテーパが付いたことにより、くぼみ１１３のある内部空間１１２が直方形音場に近づいた事が原因で生じた共鳴である。つまり、図４２及び図４３に示す、テーパ付きのくぼみ１１３を設けることによって、ｘ軸方向の二次の共鳴とｙ軸方向の二次の共鳴の組み合わせの共鳴によるディップ１１７が生じるが、ｘｙ平面方向の半径方向の一次の共鳴とｚ軸方向の一次の共鳴によるディップをなくすことができる。
【０１０７】
実施の形態３の形状は、実施の形態１及び実施の形態２と異なり、内部空間１１２から出口を通って外部空間に大きく広がっているため、実施の形態１における円柱状の穴６０内部での共鳴、実施の形態２におけるくぼみ６８内での共鳴が生じる可能性が低い。
なお、くぼみ１１３の形状について、平面で構成される必要は無く、図４６に示すような、曲面に囲まれたくぼみ１１８によって構成されていても同様の効果が得られる。図４６は、本発明の実施の形態３に係る消音器の内部空間を示す見取り図である。
【０１０８】
実施の形態４．
図４７は、本発明の実施の形態４に係る消音器１４Ｃの内部空間１１９を示す見取り図である。図４８は、消音器１４Ｃの内部空間１１９のモデル例を示す平面図、側面図である。なお、実施の形態４では実施の形態１〜３との相違点を中心に説明し、実施の形態１〜３と同一部分には、同一符号を付して説明を省略するものとする。
【０１０９】
実施の形態３では、テーパを付けたくぼみ１１３を例に説明したが、図４７及び図４８に示すように、テーパの形状は、内部空間１１９における平面１２０に示すような、平面であってもよい。平面１２０は、円筒状の穴６０を、円筒状の穴の高さ方向に対して垂直な面方向に引き伸ばした形状であり、消音器１４Ｃの形状は、側面入出力形と挿入管型の組み合わせの変化形状である。
【０１１０】
入口側観測点１２１の座標を（ｘ，ｙ，ｚ）＝（０，０，−３５）、出口側観測点１２２の座標を（０，７５，３５）としたときの、周波数に対する減音量の特性を示した結果を音響解析により求め、図９と同様にして図４９に示す。
図４９は、入口側観測点１２１の座標を（ｘ，ｙ，ｚ）＝（０，０，−３５）、出口側観測点１２２の座標を（０，７５，３５）としたときの周波数に対する減音量の特性を示したグラフである。図４９の横軸は周波数をＨｚ単位で示し、縦軸は減音量をｄＢ単位で示す。また、実線６３が基本形状の消音器の内部空間３４の入口側観測点（ｐｔ．１）３６に対する出口側観測点（ｐｔ．５）５７の減音量の特性の結果を示し、実線１２３が消音器１４Ｃの内部空間１１９の入口側観測点１２１に対する出口側観測点１２２の減音量の特性の結果を示している。
【０１１１】
図４９に示すように、実線６３と実線１２３を比較すると、黒い実線１２３にはディップ１２４が生じており、またディップ１２４が生じる周波数よりも低い周波数帯域において、灰色の実線６３よりも全体的に減音量が低い。ディップ１２４が生じるときの消音器１４Ｃの内部空間１１９の音圧分布の平面図とｘ軸方向から見た立面図を図５０に示す。つまり、図５０は、共鳴が生じたときの消音器１４Ｃの内部空間の音圧分布の平面図と立面図である。ディップ１２４が生じる周波数ｆは、図４４に示すディップ１１７の共鳴の周波数と同様にして、平面１２０のある内部空間１１９のｘ軸方向の長さＬｘとｙ軸方向の長さＬｙを用いて求めることができる。
【０１１２】
また、全体的な減音量が低下したのは、平面１２０のある内部空間１１９の膨張部１２５の断面積Ｓ’が、基本形状の内部空間３４の膨張部４８の断面積Ｓ’よりも小さくなったことにより、最大減音量Ａが低下したためである。つまり、図４７及び図４８に示す、平面１２０を設けることによって、ｘ軸方向の二次の共鳴とｙ軸方向の二次の共鳴の組み合わせの共鳴によるディップ１２０が生じ、全体的な減音量が低下するが、ｘｙ平面方向の半径方向の一次の共鳴とｚ軸方向の一次の共鳴によるディップをなくすことができる。
【０１１３】
実施の形態４の形状は、実施の形態１〜３と異なり、消音器に挿入管やくぼみを形成する必要が無いため、製造性が高い。
なお、平面１２０の大きさについて、図４８に示す寸法である必要は無い。本特許の効果が得られる範囲は、図４０に示す、点Ｂ１０６を除く弧ＡＢ１２６の線上である。平面の設計方法について、図５１に例を示す。図５１は、平面の設計方法の一例を説明するための説明図である。点Ｂ１０６を除く弧ＡＢ１２６の線上において、任意の点Ｇ１２７を決定すると、平面１２０の形状が決まる。点Ａ１０５に近い位置では本特許の効果が大きいが、点Ａ１０５から離れた位置では本特許の効果は小さい。
また、実線１０１上に任意の点Ｇ１２７を設けることも可能だが、内部空間が小さくなり、消音器の下限周波数ｆｍｉｎが高い周波数に移動し、さらに、最大減音量Ａが小さくなるため、望ましくない。
【０１１４】
実施の形態５．
図５２は、本発明の実施の形態５に係る消音器１４Ｄの内部空間１２８を示す見取り図である。図５３は、消音器１４Ｄの内部空間１２８のモデル例を示す平面図、側面図である。なお、実施の形態５では実施の形態１〜４との相違点を中心に説明し、実施の形態１〜４と同一部分には、同一符号を付して説明を省略するものとする。
【０１１５】
実施の形態２では、消音器１４Ａの内部空間６７のくぼみ６８のようにｚ軸方向に設けた例を説明したが、図５２及び図５３に示すように、内部空間１２８のくぼみ１２９のように、円周方向に円環状に設けてもよい。くぼみ１２９は、円筒状の穴６０を円周方向に引き伸ばした形状であり、消音器１４Ｄの形状は、側面入出力形と挿入管型の組み合わせの変化形状である。
【０１１６】
入口側観測点１３０の座標を（ｘ，ｙ，ｚ）＝（０，０，−３５）、出口側観測点１３１の座標を（０，７０，３５）としたときの、周波数に対する減音量の特性を示した結果を音響解析により求め、図９と同様にして図５４に示す。
図５４は、入口側観測点１３０の座標を（ｘ，ｙ，ｚ）＝（０，０，−３５）、出口側観測点１３１の座標を（０，７５，３５）としたときの周波数に対する減音量の特性を示したグラフである。図５４の横軸は周波数をＨｚ単位で示し、縦軸は減音量をｄＢ単位で示す。また、実線６３が基本形状の消音器の内部空間３４の入口側観測点（ｐｔ．１）３６に対する出口側観測点（ｐｔ．５）５７の減音量の特性の結果を示し、実線１３２が消音器１４Ｄの内部空間１２８の入口側観測点１３０に対する出口側観測点１３１の減音量の特性の結果を示している。
【０１１７】
図５４に示すように、実線６３と実線１３２を比較すると、黒い実線１３２ではｘｙ平面方向の半径方向の二次の共鳴による減音量の特性のディップ１３３が、同じく実線６３のディップ（５）４４よりも低い周波数に移動している以外についてはよく一致している。これは、円環状のくぼみ１２９を設けたことにより、共鳴の生じるときの音圧分布に影響を与えたためである。つまり、図５２及び図５３に示す、円環状のくぼみ１２９を設けることによって、ｘｙ平面方向の半径方向の二次の共鳴によるディップ１３３が基本形状における同じ共鳴のディップ（５）４４よりも低い周波数で生じるが、ｘｙ平面方向の半径方向の一次の共鳴とｚ軸方向の一次の共鳴によるディップをなくすことができる。
【０１１８】
実施の形態５の形状は、実施の形態１〜４と異なり、空けることができる出口穴の最大数が４つに制限されない。また、出口穴を２つ以上設けるとき、実施の形態１〜４では、位置関係が９０度間隔でしか設けることができないが、実施の形態５の形状では、穴の位置関係の自由度が高い。
なお、円環状のくぼみ１２９の大きさについて、図５３に示す寸法である必要は無い。本発明の効果が得られる円環状のくぼみ１２９の大きさについて、以下に説明する。
【０１１９】
実施の形態２と同様にして、円環状のくぼみの幅とくぼみの半径方向の深さに分け、くぼみの幅に対して、本発明の効果が最も得られる円環状のくぼみの半径方向の深さの関係について、図５５に示すモデルを用いて確認方法について説明する。図５５は、消音器１４Ｄの内部空間１３４のモデル例を示す平面図、側面図である。
【０１２０】
図５５に示す内部空間１３４には、図５３に示す内部空間１２８と同様に、円環状のくぼみ１３５がある。円環状のくぼみ１３５の幅をｗ２［ｍｍ］、内径の半径をＲｗ２［ｍｍ］とする。ｗ２を５、１０、２０、４０、５０、６０、６５の７条件とし、各幅について、Ｒｗ２を６２．５から２．５間隔で設定した。入口側観測点１３６の座標を（ｘ，ｙ，ｚ）＝（０，０，−３５）、出口側観測点１３７の座標を（０，Ｒｗ２，３５）としたときの、周波数に対する減音量の特性を音響解析により求め、図３２と同様にしてピークの生じる周波数ｆｐとディップの生じる周波数ｆｄを求めた。
【０１２１】
ピークの生じる周波数ｆｐとディップの生じる周波数ｆｄの差の絶対値｜ｆｄ−ｆｐ｜が最も小さくなるときのＲｗ１について、図５６の表にまとめた。図５６は、ｗ２に対するＲｗ２のマトリクスである。空間３４における結果について、ｗ１＝０の結果とし、同様に図５６の表に示した。図５６の表の結果を、横軸をＲｗ２／１００、縦軸を（ｗ２／２）／７０としたグラフに変換し、図５７に実線１３８として示す。また、実線１３８は、（Ｒｗ２／１００，（ｗ２／２）／７０）＝（６２．５，１）となる点まで延長した。つまり、図５７は、図５６の表の結果をグラフに変換したものである。
【０１２２】
また、ｘ＝１（−１≦ｙ≦１）、ｘ＝−１（−１≦ｙ≦１）、ｙ＝１（−１≦ｘ≦１）、及び、ｙ＝−１（−１≦ｘ≦１）を４辺とする正方形１３９、実線１３８をＲｗ２／１００軸方向に０．０５移動させた実線１４０、実線１３８をＲｗ２／１００軸方向に−０．０５移動させた破線１４１、正方形１３９と実線１４０の交点を点Ｈ１４２、実線１４０とＲｗ２／１００軸の交点を点Ｉ１４３、Ｒｗ２／１００軸と破線１４１の交点を点Ｊ１４４、破線１４１と正方形１３９の交点を点Ｋ１４５とする。
【０１２３】
点Ｈ１４２、点Ｉ１４３、点Ｊ１４４、点Ｋ１４５で囲まれた領域１４６を、本発明による効果が得られる範囲とする。図５７に示す範囲は、図１８に示すように、ｘｙ平面方向の半径方向一次の共鳴が生じたときの音圧分布において、節の位置から０．０５以上離れた位置では、減音量の増加が２０ｄＢ以下となることから決定した。
【０１２４】
円環状のくぼみの設計方法について、図５８に例を示す。図５８は、くぼみの設計方法の一例を説明するための説明図である。領域１４６の内部において、任意の点Ｌ１４７を決定すると、円環状のくぼみ１３５の形状が決まる。実線１３８に近い位置では本特許の効果が大きいが、実線１３８から離れた位置では本特許の効果は小さい。
【０１２５】
実施の形態６．
図５９は、本発明の実施の形態６に係る消音器１４Ｅの内部空間１４８を示す見取り図である。図６０は、消音器１４Ｅの内部空間１４８のモデル例を示す平面図、側面図である。なお、実施の形態６では実施の形態１〜５との相違点を中心に説明し、実施の形態１〜５と同一部分には、同一符号を付して説明を省略するものとする。
【０１２６】
実施の形態５では、内部空間１２８のくぼみ１２９を例に説明したが、図５９及び図６０に示すように、内部空間１４８のくぼみ１４９のように、テーパを設けてもよい。
【０１２７】
入口側観測点１５０の座標を（ｘ，ｙ，ｚ）＝（０，０，−３５）、出口側観測点１５１の座標を（０，６５，３５）としたときの、周波数に対する減音量の特性を示した結果を音響解析により求め、図９と同様にして図６１に示す。
図６１は、入口側観測点１５０の座標を（ｘ，ｙ，ｚ）＝（０，０，−３５）、出口側観測点１５１の座標を（０，６５，３５）としたときの周波数に対する減音量の特性を示したグラフである。図６１の横軸は周波数をＨｚ単位で示し、縦軸は減音量をｄＢ単位で示す。また、実線６３が基本形状の消音器の内部空間３４の入口側観測点（ｐｔ．１）３６に対する出口側観測点（ｐｔ．５）５７の減音量の特性の結果を示し、実線１５２が消音器１４Ｅの内部空間１４８の入口側観測点１５０に対する出口側観測点１５１の減音量の特性の結果を示している。
【０１２８】
図６１に示すように、実線６３と実線１５２を比較すると、実線１５２の減音量が全体的に低い以外についてはよく一致している。これは、テーパ付きの円環状のくぼみ１４９を設けた消音器の内部空間１４５の膨張部１５３の実質的な断面積Ｓ’が小さくなり、その結果、最大減音量Ａが低下したためである。つまり、図５９及び図６０に示す、テーパ付きの円環状のくぼみ１４９を設けることによって、全体的な減音量は低下するが、実施の形態１と同等の効果を得ることができる。
【０１２９】
実施の形態６の形状は、実施の形態３の形状と同様に、実施の形態１、実施の形態２、および実施の形態５と異なり、内部空間８２から出口を通って外部空間に大きく広がっているため、実施の形態１における円柱状の穴６０内部での共鳴や、実施の形態２および実施の形態５におけるくぼみ６８および円環状のくぼみ１２９内での共鳴が生じる可能性が低い。
なお、くぼみ１４９の形状について、直線のｚ軸回転体の形状で構成される必要は無く、図６２に示すくぼみ１５４のように、曲線のｚ軸回転体の形状によって構成されていても実施の形態６と同様の効果がある。図６２は、消音器１４Ｅの内部空間を示す見取り図である。
【符号の説明】
【０１３０】
１  密閉容器、２  固定子、３  回転子、４  電動機要素、５  クランク軸、６  圧縮機要素、７  フレーム、８  固定スクロール、９  空間、１０  揺動スクロール、１１  軸受、１２  吐出穴、１３  吐出弁、１４  消音器、１４Ａ  消音器、１４Ｂ  消音器、１４Ｃ  消音器、１４Ｄ  消音器、１４Ｅ  消音器、１５  吹き出し穴、１６  空間、１７  空間、１８  円筒部、１９  挿入管、２０  天板、２１  平板、２２  穴、２３  軸、２４  ボルト穴、２５  消音器、２６  円筒部、２７  吹き出し穴、２８  天板、２９  平板、３０  ボルト穴、３１  円筒状空間、３２  入口側観測点、３３  出口側観測点、３４  空間、３５  原点、３６  入口側観測点、３７  出口側観測点、３８  入口側端面、４７  入口側管路、４８  膨張部、４９  節、５１  出口側観測点、５５  出口側観測点、５７  出口側観測点、５９  内部空間、６０  穴、６１  入口側観測点、６２  出口側観測点、６５  膨張部、６６  中央、６７  内部空間、６８  くぼみ、６９  入口側観測点、７０  出口側観測点、７２  出口側観測点、７３  出口側観測点、７４  出口側観測点、７５  出口側観測点、７６  出口側観測点、７７  出口側観測点、８２  内部空間、９６  内部空間、９７  くぼみ、９８  入口側観測点、９９  出口側観測点、１００  スクロール圧縮機、１１２  内部空間、１１３  くぼみ、１１４  入口側観測点、１１５  出口側観測点、１１９  内部空間、１２０  平面、１２１  入口側観測点、１２２  出口側観測点、１２５  膨張部、１２８  内部空間、１２９  くぼみ、１３０  入口側観測点、１３１  出口側観測点、１３４  内部空間、１３５  くぼみ、１３６  入口側観測点、１３７  出口側観測点、１４５  内部空間、１４８  内部空間、１４９  くぼみ、１５０  入口側観測点、１５１  出口側観測点、１５３  膨張部、１５４  くぼみ。
【図１】
0006667319.tif 000012
【図２】
0006667319.tif 000013
【図３】
0006667319.tif 000014
【図４】
0006667319.tif 000015
【図５】
0006667319.tif 000016
【図６】
0006667319.tif 000017
【図７】
0006667319.tif 000018
【図８】
0006667319.tif 000019
【図９】
0006667319.tif 000020
【図１０】
0006667319.tif 000021
【図１１】
0006667319.tif 000022
【図１２】
0006667319.tif 000023
【図１３】
0006667319.tif 000024
【図１４】
0006667319.tif 000025
【図１５】
0006667319.tif 000026
【図１６】
0006667319.tif 000027
【図１７】
0006667319.tif 000028
【図１８】
0006667319.tif 000029
【図１９】
0006667319.tif 000030
【図２０】
0006667319.tif 000031
【図２１】
0006667319.tif 000032
【図２２】
0006667319.tif 000033
【図２３】
0006667319.tif 000034
【図２４】
0006667319.tif 000035
【図２５】
0006667319.tif 000036
【図２６】
0006667319.tif 000037
【図２７】
0006667319.tif 000038
【図２８】
0006667319.tif 000039
【図２９】
0006667319.tif 000040
【図３０】
0006667319.tif 000041
【図３１】
0006667319.tif 000042
【図３２】
0006667319.tif 000043
【図３３】
0006667319.tif 000044
【図３４】
0006667319.tif 000045
【図３５】
0006667319.tif 000046
【図３６】
0006667319.tif 000047
【図３７】
0006667319.tif 000048
【図３８】
0006667319.tif 000049
【図３９】
0006667319.tif 000050
【図４０】
0006667319.tif 000051
【図４１】
0006667319.tif 000052
【図４２】
0006667319.tif 000053
【図４３】
0006667319.tif 000054
【図４４】
0006667319.tif 000055
【図４５】
0006667319.tif 000056
【図４６】
0006667319.tif 000057
【図４７】
0006667319.tif 000058
【図４８】
0006667319.tif 000059
【図４９】
0006667319.tif 000060
【図５０】
0006667319.tif 000061
【図５１】
0006667319.tif 000062
【図５２】
0006667319.tif 000063
【図５３】
0006667319.tif 000064
【図５４】
0006667319.tif 000065
【図５５】
0006667319.tif 000066
【図５６】
0006667319.tif 000067
【図５７】
0006667319.tif 000068
【図５８】
0006667319.tif 000069
【図５９】
0006667319.tif 000070
【図６０】
0006667319.tif 000071
【図６１】
0006667319.tif 000072
【図６２】
0006667319.tif 000073